(57)【特許請求の範囲】
【請求項１】
２つの騒音発生源の間を仕切る方向に沿って所定の間隔で並立された支柱と、支柱の間に設置された防音壁用パネルとを備えた防音壁であって、
前記防音壁用パネルは、
支柱の間に立設されるデッキプレートと、
表面に多数の孔が形成され、デッキプレートの両側表面をそれぞれ全面に亘って覆う一対の多孔板と、
前記一対の多孔板のうちデッキプレートの一方側表面を覆う多孔板とデッキプレートの凹条部とによって構成される空間内、及び前記一対の多孔板のうちデッキプレートの他方側表面を覆う多孔板とデッキプレートの凹条部とによって構成される空間内にそれぞれ充填される吸音材と、
を有し、
前記デッキプレートは、凹条部と凸条部とが上下方向に交互に連続する配置状態で設置され、
前記デッキプレートの下側領域に配置される凹条部の深さが、上側領域に配置される凹条部の深さよりも大きいことを特徴とする防音壁。
【発明の詳細な説明】
【技術分野】
【０００１】
本発明は、防音壁に関し、特に、工場の敷地と道路の境界等のように境界を隔てた両側に騒音発生源が存在する場所に設置される防音壁に関する。
【背景技術】
【０００２】
近年、環境規制の観点から、工場から発生する騒音を周辺地域に及ぼすことを防ぐために、工場の敷地境界等に防音壁を設置することが必要となってきている。かかる防音壁は、工場側の騒音を防ぐことを主目的としているため、工場側を騒音発生源とした片面遮音構造の防音壁が用いられている。このような片面遮音構造の防音壁の典型例として、強度向上のためにデッキプレートを骨組材として使用すると共に、デッキプレートの両側表面のうち騒音発生源に対向する側の面に吸音材を充填し、パンチングメタルと称される多孔板で表面を覆った構造の防音壁が提案されている（例えば、実公平８−９２１４号公報参照）。
【０００３】
【特許文献１】実公平８−９２１４号公報
【発明の開示】
【発明が解決しようとする課題】
【０００４】
ところで、工場の敷地に沿って道路が存在するような場合、昼間は道路を頻繁に車両が走行し大きなレベルの騒音が発生している。これに対して、工場側では環境規制のため機械等が稼動していても規制値以下の比較的小さいレベルの騒音しか発生していない。一方、夜間においては、道路を走行する車両が減り、騒音レベルが小さくなる。これに対して、夜間においても工場の稼動時間中においては昼間と同程度の騒音が発生されている。この工場からの騒音は、道路を隔てた人家に影響を及ぼす。つまり、昼間は工場で働く人のために道路を走行する車両からの騒音を抑制し、夜間は周辺住民のために工場からの騒音を抑制する必要がある。
上記のような場合に、特許文献１記載の防音壁を工場の敷地境界に設置しても、片側にのみ騒音発生源が存在する場合にのみ遮音効果を発揮することが可能であり、両側に騒音発生源が存在する場合に両者の騒音発生源からの騒音を効果的に遮音することができない。
【０００５】
本発明は、上記の実情を鑑みて考え出されたものであり、その目的は、２つの騒音発生源の境界に沿って設置され、何れの騒音発生源からの騒音についても効果的に抑制することが可能な防音壁を提供することである。
【課題を解決するための手段】
【０００６】
上記目的を達成するために、本発明のうち請求項１記載の発明は、２つの騒音発生源の間を仕切る方向に沿って所定の間隔で並立された支柱と、支柱の間に設置された防音壁用パネルとを備えた防音壁であって、前記防音壁用パネルは、支柱の間に立設されるデッキプレートと、表面に多数の孔が形成され、デッキプレートの両側表面をそれぞれ全面に亘って覆う一対の多孔板と、前記一対の多孔板のうちデッキプレートの一方側表面を覆う多孔板とデッキプレートの凹条部とによって構成される空間内、及び前記一対の多孔板のうちデッキプレートの他方側表面を覆う多孔板とデッキプレートの凹条部とによって構成される空間内にそれぞれ充填される吸音材と、を有し、前記デッキプレートは、凹条部と凸条部とが上下方向に交互に連続する配置状態で設置され、前記デッキプレートの下側領域に配置される凹条部の深さが、上側領域に配置される凹条部の深さよりも大きいことを特徴とする。
【０００７】
上記の如く、デッキプレートの両側に吸音材が充填された防音壁用パネルを用いることにより、防音壁の両側にそれぞれ存在する騒音発生源からの騒音を抑制することができる。しかも、デッキプレートを防音壁用パネルの骨組材として用いることにより、防音壁としての強度が向上する。
また、一般的にデッキプレートの凹条部は奥行き方向に狭まっているので、デッキプレートを、凹条部と凸条部とが上下方向に交互に連続する配置状態で設置すると、デッキプレートの凹条部領域に雨が降り注いでも、奥に進行することがなく、耐雨性に優れた防音壁が得られるという効果を奏する。
さらに、上記構成により、上側領域よりも下側領域での吸音効果が大きい防音壁が構成される。この結果、大きい騒音レベルが伝播される下側領域での凹条部の深さと等しい深さに上下領域共に設定したデッキプレートを使用する防音壁用パネルに比べて、本発明では上側領域に充填される吸音材の量が少ないので、製造コストの低減及び軽量化を実現できることになる。
【発明の効果】
【００１６】
本発明によれば、デッキプレートの両側に吸音材が充填された防音壁用パネルを用いることにより、防音壁の両側にそれぞれ存在する騒音発生源からの騒音を抑制することができる。しかも、デッキプレートを防音壁用パネルの骨組材として用いることにより、防音壁としての強度が向上する。
【発明を実施するための最良の形態】
【００１７】
以下、本発明に係る防音壁を実施の形態に基づいて詳述する。なお、本発明は、以下の実施の形態に限定されるものではない。
【００１８】
（実施の形態１）
図１は本発明に係る防音壁の使用例を示す図である。防音壁１は、工場２の敷地と道路３との境界に沿って配置されている。工場２からの騒音は環境規制により規制値に抑制されており、昼間は道路３を走行する車からの騒音の方が工場２からの騒音よりも大きい。従って、昼間は工場内に働いている人のために、道路３からの騒音を抑制することが必要である。一方、夜間においては、道路３を走行する車両が減少するので、工場２からの騒音が道路３を越えて人家４に及ぶので騒音対策が必要となる。そこで、防音壁１は後述するように両側に吸音材が充填された構成となっており、工場２側からの騒音及び道路３側からの騒音をそれぞれ抑制できるようになっている。
【００１９】
図２は実施の形態１に係る防音壁の全体構成を簡略化して示す正面図、図３は防音壁の縦断面図、図４は防音壁の横断面図、図５は図３の一部拡大図、図６は図４の一部拡大図である。防音壁１は、工場２（騒音発生源に相当）の敷地と道路３（騒音発生源に相当）との境界に沿って所定の間隔で並立された複数の支柱１０と、支柱１０，１０間に設置された防音壁用パネル１１とを備えている。支柱１０は例えばＨ型鋼であり、その下端部にはエンドプレート１２が固着されている。支柱１０を支持固定する土台１３は例えばＨ型鋼であり、土台１３の上フランジに支柱１０のエンドプレート１２が載置され、ボルト等によって支柱１０が土台１３に固定されている。また、支柱１０の一方のフランジにはボルト孔が形成されており、そのボルト孔を挿通するボルト及びナット等により、防音壁用パネル１１はその横方向両端部が隣り合う支柱２にそれぞれ固定されている。
【００２０】
次いで、本発明の主たる特徴である防音壁用パネル１１の構造について説明する。防音壁用パネル１１は、支柱１０，１０間に立設されるデッキプレート２０と、表面に多数の孔２１が形成されデッキプレート２０の両側表面をそれぞれ全面に亘って覆う金属製の一対の多孔板２２ａ，２２ｂとを有する。なお、多孔板２２ａは工場２側に臨み、多孔板２２ｂは道路３側に臨むように設置されている。また、デッキプレート２０は、上下方向に凹条部２３と凸条部２４とが交互に連続して出現するように立設されている。この凹条部２３及び凸条部２４は、共に水平方向に延在している。更に、多孔板２２ｂと、デッキプレート２０の一方側表面に形成される凹条部２３とによって構成される空間内、及び、多孔板２２ａと、デッキプレート２０の他方側表面に形成される凹条部２３とによって構成される空間内には、例えばグラスウール等の吸音材２５が充填されている。そして、デッキプレート２０の上部には上蓋板２６Ａ（図３参照）が取り付けられ、デッキプレート２０の下部には下蓋板２６Ｂ（図３参照）が取り付けられ、デッキプレート２０の左右側部には側板２６Ｃ（図６参照）がそれぞれ取り付けられている。なお、防音壁用パネル１１の使用が屋外であることから、吸音材２５は撥水処理されたものを用いるのが好ましい。
【００２１】
また、本実施の形態におけるデッキプレート２０においては、一方側表面に形成される凹条部２３の幅Ａ１（図５参照）と、他方側表面に形成される凹条部２３の幅Ａ２（図５参照）が等しく、且つ凹条部２３の深さが等しく設定されたデッキプレートが用いられている。従って、デッキプレート２０の両側にそれぞれ充填される吸音材２５の量は等しく、そのため、道路３側に対する吸音性能と工場２側に対する防音性能は等しい防音壁が構成されている。なお、騒音レベルの大きい道路３に対向する一方表面側に充填される吸音材２５を、騒音レベルの小さい工場２に対向する他方表面側に充填される吸音材よりも高密度とするようにしてもよい。このように構成すれば、騒音レベルの大きい道路側からの騒音を効果的に抑制することができる。なお、工場２を騒音発生源としたときの騒音レベル及び道路３（正確には道路３を走行する車）を騒音発生源としたときの騒音レベルとは、所定時間当たりの平均的騒音レベルを意味するものとする。
【００２２】
上記構成の防音壁は、デッキプレート２０の両側に吸音材２５が充填されているので、両側に存在する騒音発生源（工場と道路）からの騒音を一枚の防音壁用パネル１１で吸音することが可能となる。また、防音壁用パネル１１の骨組材としてデッキプレート２０を使用することにより、凹凸のない平板状プレートを使用する場合に比べて強度の向上を図ることができる。
【００２３】
また、上下方向に凹条部２３と凸条部２４とが交互に連続して出現するようにデッキプレート２０を立設することにより、デッキプレートの凹条部領域に雨が降り注いでも、デッキプレートの凹条部２３の上下内面は奥行き方向に狭まっているので、雨が奥に進行することがなく、耐雨性に優れた防音壁が得られるという効果を奏する。
【００２４】
なお、上記の例では、デッキプレート２０は、上下方向に凹条部２３と凸条部２４とが交互に連続して出現する配置状態で設置されていたが、凹条部２３と凸条部２４とが左右方向に交互に連続して出現する配置状態で設置してもよい。
【００２５】
（実施の形態２）
図７は実施の形態２に係る防音壁の縦断面図である。上記実施の形態１ではデッキプレート２０の一方側表面の凹条部２３の幅Ａ１と他方側表面の凹条部２３の幅Ａ２とが等しかったけれども、本実施の形態２では、デッキプレート２０の凹条部２３の幅Ａ１が、他方側表面の凹条部２３の幅Ａ２よりも大きく形成されている。従って、デッキプレート２０の道路３側に充填される吸音材２５の量は、デッキプレート２０の工場２側に充填される吸音材２５の量よりも大きい。この結果、昼間においては、工場２内に働いている人のために、騒音レベルの大きい道路３側からの騒音を効果的に吸音することができる。一方、夜間においては、比較的騒音レベルの小さい工場２側からの騒音を吸音して、人家４に騒音の影響を及ぶすことを防止することができる。
【００２６】
（実施の形態３）
図８は実施の形態３に係る防音壁の縦断面図である。本実施の形態３に係るデッキプレート２０においては、上下方向の下側領域Ｓ１に存在する凹条部２３の深さが上側領域Ｓ２に存在する凹条部２３の深さよりも大きく形成されている。これにより、吸音材２５の充填量が上側領域Ｓ２よりも下側領域Ｓ１の方が大きい構造とされる。このように構成することにより、上側領域Ｓ２よりも下側領域Ｓ１での吸音効果が大きい防音壁を実現することができる。この結果、防音壁の製造コストを低減することができ、また、軽重量化を図ることが可能となる。以下にその理由を述べる。
【００２７】
工場側からの騒音や道路側からの騒音が防音壁１に伝播する態様は、防音壁１の下側領域Ｓ１においては騒音レベルが大きく、防音壁１の上側領域Ｓ２においては騒音レベルが小さいと考えられる。従って、デッキプレートの凹条部の深さが上下方向全て均一である場合には、大きい騒音レベルが伝播される下側領域Ｓ１における凹条部２３の深さと等しい深さに設定して、大きい騒音レベルに対応する吸音材を上下領域Ｓ１，Ｓ２共に充填した防音壁が使用されるのが一般的である。従って、このような一般的な防音壁に対して、本実施の形態に係る防音壁（即ち、上側領域Ｓ２よりも下側領域Ｓ１での吸音効果が大きい防音壁）は、上側領域Ｓ２に充填される吸音材の量が少ない。この結果、コストの低減及び軽量化を実現できることになる。
【００２８】
（その他の事項）
（１）上記実施の形態では、防音壁は、工場の敷地と道路との境界に沿って設置したけれども、本発明はこれに限定されるものではなく、騒音発生源の種類を問わず、２つの騒音発生源の境界に沿って設置して両者の騒音発生源からの騒音を抑制するために使用する防音壁に適用することができる。
（２）上記実施の形態では、凹条部に充填される吸音材の密度は、道路側と工場側のいずれにおいても等しいとされたけれど、騒音レベルの大きい騒音発生源（上記実施の形態では道路）に対向する一方表面側に充填される吸音材を、騒音レベルの小さい騒音発生源（上記実施の形態では工場）に対向する他方表面側に充填される吸音材よりも高密度とするようにしてもよい。このように構成すれば、騒音レベルの大きい道路側からの騒音を効果的に抑制することができる。
【産業上の利用可能性】
【００２９】
本発明は、防音壁に好適に実施することができる。
【図面の簡単な説明】
【００３０】
【図１】本発明に係る防音壁の使用例を示す図である。
【図２】実施の形態１に係る防音壁の全体構成を簡略化して示す正面図である。
【図３】実施の形態１に係る防音壁防音壁の縦断面図である。
【図４】実施の形態１に係る防音壁の横断面図である。
【図５】図３の一部拡大図である。
【図６】図４の一部拡大図である。
【図７】実施の形態２に係る防音壁の縦断面図である。
【図８】実施の形態３に係る防音壁の縦断面図である。
【符号の説明】
【００３１】
１：防音壁                            ２：工場
３：道路                              ４：人家
１０：支柱                            １１：防音壁用パネル
２０：デッキプレート                  ２１：孔
２２ａ，２２ｂ：多孔板                ２３：凹条部
２４：凸条部                          ２５：吸音材
Ｓ１：下側領域                        Ｓ２：上側領域
【図１】
0004650889.tif 000002
【図２】
0004650889.tif 000003
【図３】
0004650889.tif 000004
【図４】
0004650889.tif 000005
【図５】
0004650889.tif 000006
【図６】
0004650889.tif 000007
【図７】
0004650889.tif 000008
【図８】
0004650889.tif 000009